(57)【要約】【課題】現金自動預払機のための現金捕捉動作阻止アセンブリおよび現金自動預払機への現金捕捉装置の挿入を検出するための方法を提供する。【解決手段】本アセンブリは、第１のセンサ、第２のセンサ、ならびに第１および第２のセンサから物体検出信号を受信するための制御回路を含む。第１のセンサが第１の物体を検出すると、（ｉ）第１の物体が検出される前の所定の時限内に第２のセンサが第２の物体を既に検出していたならば、制御回路は、通常の紙幣払出が発生したと、かつ第１および第２の物体が各々紙幣から成ると判定し、（ｉｉ）第１の物体が検出される前の所定の時限内に第２のセンサが第２の物体を既に検出していなかったならば、制御回路は、第１の物体が潜在的に現金捕捉装置であると判定する。【選択図】図１３
2020536313.tif 000002
【特許請求の範囲】
【請求項１】
現金自動預払機のための現金捕捉動作阻止アセンブリであって、
紙幣払出面外かつ通貨払出器シャッタと前記現金自動預払機の差出器領域の差出器ベルトとの間に装着され、かつ一対の差出器ベルトと同じ垂直面に装着される第１のセンサであり、一対の差出器ベルトの差出器ベルト間に挿入される第１の物体を検出するために動作可能である、前記第１のセンサと、
前記差出器領域に前記紙幣払出面外に装着され、かつ前記一対の差出器ベルトと同じ前記垂直面に装着されない第２のセンサであり、紙幣が紙幣払出動作を経るにつれて前記紙幣を検出するために動作可能である、前記第２のセンサと、
前記第１および第２のセンサから物体検出信号を受信するための制御回路とを備え、前記アセンブリが、前記第１および第２のセンサが前記現金自動預払機に装着され、そして前記第１のセンサが第１の物体を検出すると、
前記第１のセンサによる前記第１の物体の前記検出前の所定の時限であり、紙幣払出動作中の前記第２から前記第１のセンサへの紙幣の横動のための時間を包含するように決定される、前記時限内に前記第２のセンサが第２の物体を既に検出していたならば、前記制御回路が、通常の紙幣払出が発生したと、かつ前記第１および第２の物体が各々前記紙幣から成ると判定し、
前記第１のセンサによる前記第１の物体の前記検出前の前記所定の時限内に前記第２のセンサが前記第２の物体を既に検出していなかったならば、前記制御回路が、前記第１のセンサによって検出される前記第１の物体が潜在的に現金捕捉装置であると判定し、そして前記制御回路が前記アセンブリの警報状態を開始する、
ように動作可能である、アセンブリ。
【請求項２】
前記第１および第２のセンサが赤外線センサから成る、請求項１に記載の現金捕捉動作阻止アセンブリ。
【請求項３】
前記第１のセンサが、前記差出器領域の中央の一対の差出器ベルトと同じ前記垂直面に装着される、請求項１に記載の現金捕捉動作阻止アセンブリ。
【請求項４】
追加の第１のセンサが、現金払出器シャッタと差出器の前記差出器ベルトとの間で前記差出器領域の各他の一対の差出器ベルトと同じ前記垂直面に装着され、かつそれらのそれぞれの一対の差出器ベルト間に挿入される物体を検出するために動作可能である、請求項３に記載の現金捕捉動作阻止アセンブリ。
【請求項５】
前記制御回路が、現金自動預払機に設置されると前記現金自動預払機の部品に制御信号を送信するための出力、およびそこから信号を受信するための入力を備える、請求項１に記載の現金捕捉動作阻止アセンブリ。
【請求項６】
現金自動預払機制御回路が、前記第１および第２のセンサから物体検出信号を受信するための前記制御回路を備える、請求項１に記載の現金捕捉動作阻止アセンブリ。
【請求項７】
現金自動預払機のための現金捕捉動作阻止アセンブリであって、
紙幣払出面外かつ通貨払出器シャッタと前記現金自動預払機の差出器領域の差出器ベルトとの間に装着するための、かつ一対の差出器ベルトと同じ垂直面に装着するための第１のセンサであり、一対の差出器ベルトの差出器ベルト間に挿入される第１の物体を検出するために動作可能である、前記第１のセンサを備える第１の部品と、
前記差出器領域に前記紙幣払出面外に装着するための、かつ前記一対の差出器ベルトと同じ前記垂直面に装着しないための第２のセンサであり、紙幣が紙幣払出動作を経るにつれて前記紙幣を検出するために動作可能である、前記第２のセンサを備える第２の部品と、
前記第１および第２のセンサから物体検出信号を受信するための制御回路を備える第３の部品とから成る部品のキットを備え、前記部品のキットが現金自動預払機に設置される場合、前記アセンブリが、前記第１のセンサが第１の物体を検出すると、
前記第１のセンサによる前記第１の物体の前記検出前の所定の時限であり、紙幣払出動作中の前記第２から前記第１のセンサへの紙幣の横動のための時間を包含するように決定される、前記時限内に前記第２のセンサが第２の物体を既に検出していたならば、前記制御回路が、通常の紙幣払出が発生したと、かつ前記第１および第２の物体が各々前記紙幣から成ると判定し、
前記第１のセンサによる前記第１の物体の前記検出前の前記所定の時限内に前記第２のセンサが前記第２の物体を既に検出していなかったならば、前記制御回路が、前記第１のセンサによって検出される前記第１の物体が潜在的に現金捕捉装置であると判定し、そして前記制御回路が前記アセンブリの警報状態を開始する、
ように動作可能である、アセンブリ。
【請求項８】
前記第１および第２のセンサが赤外線センサから成る、請求項７に記載の現金捕捉動作阻止アセンブリ。
【請求項９】
前記第１のセンサが、前記差出器領域の中央の一対の差出器ベルトと同じ前記垂直面に装着するためである、請求項７に記載の現金捕捉動作阻止アセンブリ。
【請求項１０】
前記キットが、１つまたは複数の追加部品であり、現金払出器シャッタと差出器の前記差出器ベルトとの間で前記差出器領域の他の一対の差出器ベルトと同じ前記垂直面に装着するための追加の第１のセンサを備える、前記追加部品を備える、請求項９に記載の現金捕捉動作阻止アセンブリ。
【請求項１１】
前記制御回路が、現金自動預払機に設置されると前記現金自動預払機の部品に制御信号を送信するための出力、およびそこから信号を受信するための入力を備える、請求項７に記載の現金捕捉動作阻止アセンブリ。
【請求項１２】
前記第３の部品が、前記制御回路のためのハウジングを備える、請求項７に記載の現金捕捉動作阻止アセンブリ。
【請求項１３】
現金自動預払機であって、現金捕捉動作阻止アセンブリを備え、前記アセンブリが、
紙幣払出面外かつ通貨払出器シャッタと前記現金自動預払機の差出器領域の差出器ベルトとの間に位置付けられ、かつ一対の差出器ベルトと同じ垂直面に装着される第１のセンサであり、一対の差出器ベルトの差出器ベルト間に挿入される第１の物体を検出するために動作可能である、前記第１のセンサと、
前記差出器領域に前記紙幣払出面外に位置付けられ、かつ前記一対の差出器ベルトと同じ前記垂直面に装着されない第２のセンサであり、紙幣が紙幣払出動作を経るにつれて前記紙幣を検出するために動作可能である、前記第２のセンサと、
前記第１および第２のセンサから物体検出信号を受信するための制御回路とを備え、前記アセンブリが、前記第１のセンサが第１の物体を検出すると、
前記第１のセンサによる前記第１の物体の前記検出前の所定の時限であり、紙幣払出動作中の前記第２から前記第１のセンサへの紙幣の横動のための時間を包含するように決定される、前記時限内に前記第２のセンサが第２の物体を既に検出していたならば、前記制御回路が、通常の紙幣払出が発生したと、かつ前記第１および第２の物体が各々前記紙幣から成ると判定し、
前記第１のセンサによる前記第１の物体の前記検出前の前記所定の時限内に前記第２のセンサが前記第２の物体を既に検出していなかったならば、前記制御回路が、前記第１のセンサによって検出される前記第１の物体が潜在的に現金捕捉装置であると判定し、そして前記制御回路が前記アセンブリの警報状態を開始する、
ように動作可能である、現金自動預払機。
【請求項１４】
前記第１および第２のセンサが赤外線センサから成る、請求項１３に記載の現金自動預払機。
【請求項１５】
前記第１のセンサが、前記差出器領域の中央の一対の差出器ベルトと同じ前記垂直面に位置付けられる、請求項１３に記載の現金自動預払機。
【請求項１６】
少なくとも１つの追加の第１のセンサが、現金払出器シャッタと差出器の前記差出器ベルトとの間で前記差出器領域の各他の一対の差出器ベルトと同じ前記垂直面に位置付けられる、請求項１５に記載の現金自動預払機。
【請求項１７】
前記第１のセンサが、前記現金自動預払機の現金自動預払機構造に取り付けられる第１の装着ビームに装着される、請求項１３に記載の現金自動預払機。
【請求項１８】
前記第２のセンサが、前記現金自動預払機の現金自動預払機構造に取り付けられる第２の装着ビームに装着される、請求項１３に記載の現金自動預払機。
【請求項１９】
前記制御回路が、前記現金自動預払機の部品に制御信号を送信するための出力、およびそこから信号を受信するための入力を備える、請求項１３に記載の現金自動預払機。
【請求項２０】
現金自動預払機制御回路が、前記第１および第２のセンサから物体検出信号を受信するための前記制御回路を備える、請求項１３に記載の現金自動預払機。
【請求項２１】
現金自動預払機の差出器領域への現金捕捉装置の挿入を検出するための方法であって、現金捕捉動作阻止アセンブリを設けることを含み、前記アセンブリが、
紙幣払出面外かつ通貨払出器シャッタと前記現金自動預払機の差出器領域の差出器ベルトとの間に装着され、かつ一対の差出器ベルトと同じ垂直面に装着される第１のセンサであり、一対の差出器ベルトの差出器ベルト間に挿入される第１の物体を検出するために動作可能である、前記第１のセンサと、
前記差出器領域に前記紙幣払出面外に装着され、かつ前記一対の差出器ベルトと同じ前記垂直面に装着されない第２のセンサであり、紙幣が紙幣払出動作を経るにつれて前記紙幣を検出するために動作可能である、前記第２のセンサと、
前記第１および第２のセンサから物体検出信号を受信し、そして結果を決定するための制御回路とを備え、
前記方法が、
前記第１のセンサによって第１の物体を検出することと、
前記第１のセンサによる前記第１の物体の前記検出前の所定の時限であり、紙幣払出動作中の前記第２から前記第１のセンサへの紙幣の横動のための時間を包含するように決定される、前記時限内に前記第２のセンサが第２の物体を既に検出していたならば、前記制御回路が、通常の紙幣払出が発生したと、かつ前記第１および第２の物体が各々前記紙幣から成ると判定し、
前記第１のセンサによる前記第１の物体の前記検出前の前記所定の時限内に前記第２のセンサが前記第２の物体を既に検出していなかったならば、前記制御回路が、前記第１のセンサによって検出される前記第１の物体が潜在的に前記現金捕捉装置であると判定し、そして前記制御回路が前記アセンブリの警報状態を開始することと、
を更に含む、方法。
【請求項２２】
前記方法が、
前記制御回路に、前記現金自動預払機の部品に制御信号を送信するための出力、およびそこから信号を受信するための入力を設け、したがって前記制御回路によって前記部品を制御すること、
を更に含む、請求項２１に記載の方法。
【請求項２３】
コンピュータ可読プログラムコードが記憶された１つまたは複数のコンピュータ可読ハードウェア記憶デバイスを備えるコンピュータ・プログラム製品であって、前記プログラムコードが、現金自動預払機の差出器領域への現金捕捉装置の挿入を検出するための方法を実装するように、現金捕捉動作阻止アセンブリの制御回路によって実行可能であり、前記方法が、現金捕捉動作阻止アセンブリを設けることを含み、前記アセンブリが、
紙幣払出面外かつ通貨払出器シャッタと前記現金自動預払機の差出器領域の差出器ベルトとの間に装着され、かつ一対の差出器ベルトと同じ垂直面に装着される第１のセンサであり、一対の差出器ベルトの差出器ベルト間に挿入される第１の物体を検出するために動作可能である、前記第１のセンサと、
前記差出器領域に前記紙幣払出面外に装着され、かつ前記一対の差出器ベルトと同じ前記垂直面に装着されない第２のセンサであり、紙幣が紙幣払出動作を経るにつれて前記紙幣を検出するために動作可能である、前記第２のセンサと、
前記第１および第２のセンサから物体検出信号を受信し、そして結果を決定するための制御回路とを備え、
前記方法が、
前記第１のセンサによって第１の物体を検出することと、
前記第１のセンサによる前記第１の物体の前記検出前の所定の時限であり、紙幣払出動作中の前記第２から前記第１のセンサへの紙幣の横動のための時間を包含するように決定される、前記時限内に前記第２のセンサが第２の物体を既に検出していたならば、前記制御回路が、通常の紙幣払出が発生したと、かつ前記第１および第２の物体が各々前記紙幣から成ると判定し、
前記第１のセンサによる前記第１の物体の前記検出前の前記所定の時限内に前記第２のセンサが前記第２の物体を既に検出していなかったならば、前記制御回路が、前記第１のセンサによって検出される前記第１の物体が潜在的に前記現金捕捉装置であると判定し、そして前記制御回路が前記アセンブリの警報状態を開始することと、
を更に含む、コンピュータ・プログラム製品。
【発明の詳細な説明】
【技術分野】
【０００１】
本発明は、現金自動預払機に関し、特に、現金自動預払機の差出器（presenter）領域へ挿入される現金捕捉装置（cash capture device）の検出および動作の無効化のためのセキュリティ装置に関する。
【背景技術】
【０００２】
自動銀行窓口機が周知である。消費者によって使用される一般的な種類の自動銀行窓口機は現金自動預払機（「ＡＴＭ」）であり、口語的には「キャッシュ・ディスペンサ」、「キャッシュ・マシン」または「ホール・イン・ザ・ウォール（hole-in-the-wall）」などの用語によって知られている。ＡＴＭは、顧客が銀行取引を実施することを可能にする。ＡＴＭで実施され得る一般的な銀行取引には、紙幣の形態の現金の払出、預金の受入、口座間の資金移動、請求書の支払い、口座残高照会および移動電話チャージ（top-up）等が含まれる。顧客が実施することができる銀行取引の種類は、特定の銀行窓口機の機能およびサービスを提供する機関によって決定される。
【０００３】
英国には約７万台のＡＴＭがあり、この数字は増加傾向にある。ＡＴＭ詐欺も増加傾向にあり、犯行者は、ＡＴＭ内部から現金を不正に抜き取る新たな方法を常に工夫している。犯行者がＡＴＭから現金を抜き取ろうと試みる１つの方法は、現金捕捉装置を使用することによる。現金捕捉装置は、現金がＡＴＭ内部で現金捕捉装置によって横取りされて、現金を要求したユーザに払い出されないように、現金払出口内に犯行者によって挿入される。犯行者はその後ＡＴＭに戻って、ＡＴＭ内部に保持されている現金を取り出す。
【発明の概要】
【発明が解決しようとする課題】
【０００４】
ＡＴＭ詐欺が現金をもたらし、かつ他の犯罪と比較してかなり低リスクであるので、ＡＴＭ詐欺は増加傾向にあると思われる。ＡＴＭ詐欺を実装するために使用される機器は安価で、容易に入手可能でかつ使い捨て可能であり、このことによりＡＴＭ詐欺が組織犯罪網に普及している。したがって、改良された現金捕捉動作阻止アセンブリ、現金自動預払機、方法、およびプログラムを提供することである。
装置を提供する必要がある。
【課題を解決するための手段】
【０００５】
本発明の実施形態は、現金自動預払機のための現金捕捉動作阻止アセンブリを提供する。第１のセンサが紙幣払出面外かつ通貨払出器シャッタと現金自動預払機の差出器領域の差出器ベルトとの間に装着され、かつ一対の差出器ベルトと同じ垂直面に装着され、第１のセンサは、一対の差出器ベルトの差出器ベルト間に挿入される第１の物体を検出するために動作可能であり、そして第２のセンサが差出器領域に紙幣払出面外に装着され、かつ一対の差出器ベルトと同じ垂直面に装着されず、第２のセンサは、紙幣が紙幣払出動作を経るにつれて紙幣を検出するために動作可能である。制御回路が、第１および第２のセンサから物体検出信号を受信するために設けられる。本アセンブリは、第１および第２のセンサが現金自動預払機に装着され、そして第１のセンサが物体を検出すると、第１のセンサによる第１の物体の検出前の所定の時限であって、紙幣払出動作中の第２から第１のセンサへの紙幣の横動のための時間を包含するように決定される、時限内に第２のセンサが第２の物体を既に検出していたならば、制御回路が、通常の紙幣払出が発生したと、かつ第１および第２の物体が各々紙幣から成ると判定し、そして第１のセンサによる第１の物体の検出前の所定の時限内に第２のセンサが第２の物体を既に検出していなかったならば、制御回路が、第１のセンサによって検出される第１の物体が潜在的に現金捕捉装置であると判定し、そして制御回路が本アセンブリの警報状態を開始する、ように動作可能である。
【０００６】
本発明の実施形態は、同現金捕捉動作阻止アセンブリを含む部品のキット、および同現金捕捉動作阻止アセンブリを含む現金自動預払機を提供する。更なる実施形態は、現金自動預払機の差出器領域への現金捕捉装置の挿入を検出するための方法、および同方法を行うためのコンピュータ・プログラム製品を含む。
【０００７】
本発明の実施形態は、ここで添付図面を参照しつつ、単に例として記載されることになる。
【図面の簡単な説明】
【０００８】
【図１】当該技術において知られている現金自動預払機（ＡＴＭ）の外表面を例示する図である。
【図２】当該技術において知られている図１の現金自動預払機の内部部品の一例を例示するブロック図である。
【図３】当該技術において知られている現金自動預払機現金払出器の一例の側面横断面を例示する概要図である。
【図４】現金自動預払機から紙幣を不正に取得する試みに使用される現金捕捉装置の既知の設計を例示する図である。
【図５】現金自動預払機から紙幣を不正に取得する試みに使用される現金捕捉装置の既知の設計を例示する図である。
【図６】現金自動預払機から紙幣を不正に取得する試みに使用される現金捕捉装置の既知の設計を例示する図である。
【図７】現金自動預払機から紙幣を不正に取得する試みに使用される現金捕捉装置の既知の設計を例示する図である。
【図８】差出器ベルト間で紙幣を捕捉する位置に挿入された現金捕捉装置の位置を図示する既知の現金自動預払機の差出器領域の側面図および上面図である。
【図９】差出器ベルト間で紙幣を捕捉する位置に挿入された現金捕捉装置の位置を図示する既知の現金自動預払機の差出器領域の上面図である。
【図１０】差出器ベルト間で紙幣を捕捉する位置に挿入された現金捕捉装置の位置を図示する既知の現金自動預払機の差出器領域の正面図および上面図である。
【図１１】本発明の実施形態による、現金自動預払機の払出器シャッタに隣接した差出器領域の範囲の正面図および上面図である。
【図１２】本発明の実施形態による、現金自動預払機の差出器領域の上面図である。
【図１３】本発明の実施形態の側面の簡略構造図を例示する概要図である。
【図１４】本発明の実施形態の動作を例示するフロー図である。
【図１５】本発明の実施形態の動作を例示するフロー図である。
【図１６】本発明の実施形態による、反現金捕獲キット（anti-cash trapping kit）の概要図である。
【図１７】本発明の実施形態による、図１６の反現金捕獲キットの構成部品の図である。
【図１８】本発明の実施形態の動作を例示するフロー図である。
【発明を実施するための形態】
【０００９】
添付図面が単に概略であり、一定の比率では描かれていないことが理解されるべきである。同じまたは同様の部品を示すために説明および図面を通して同じ参照数字が使用されることも理解されるべきである。向きに関する記述子に言及がなされる場合、そのような記述子は単に、図面に関する理解の明快さおよび容易さの目的で使用される。それらは、本発明の範囲を限定するとは意図されない。本発明の実施形態は、本発明の範囲から逸脱することなく任意に便宜的に方向付けられてよい。
【００１０】
図１は、当該技術において知られている現金自動預払機（ＡＴＭ）１００の外表面の例示であり、そして図２は、当該技術において知られている図１の現金自動預払機１００の内部部品の一例を例示するブロック図である。図１および図２は互いと併せて読まれるべきである。
【００１１】
ＡＴＭ１００は、非セキュアな部分２００およびセキュアな部分２０５を備えるハウジング１５０を備える。
【００１２】
非セキュアな部分２００は、ユーザにユーザ情報を表示するためのディスプレイ１０５、データを入力するための画面選択キー１１０およびキーパッド１１５、ＤＣ電源２１０、カード受入口１３０を介してユーザ銀行カードまたは他の形態の識別情報を受け入れるためのカード・リーダ２２５、ＡＴＭ１００の差出器領域において処理および収容された紙幣の形態の現金を払い出すための現金払出口１２５および関連するシャッタ・アセンブリ２４５、保管庫２３０に収容される預金を受け入れる、かつ預金シャッタ・アセンブリ２４０と通信するための預金口１２０、預金口１２０による受入のために現金または小切手預金を保持するための封筒を封筒払出器２５０から払い出すための封筒払出口１４５、顧客によってなされる取引を確認する明細書を払い出すための明細書払出口１４０、金庫ドア・スイッチ２６０に連結されるインタロックＰＣＢ２５５、ならびに明細書を印刷するためのプリンタ２２０を備える、表外板１５５を有する更なるハウジングを備える。
【００１３】
非セキュアな部分２００は、要求および許可された取引を完了するために、要求された取引を処理するため、かつＡＴＭ１００の機械部品を制御するため、ＡＴＭ１００の部品の各々と通信するためのデータ処理装置２１５（ＰＣコアを含んでもよい）も収容する。
【００１４】
図３は、当該技術において知られている現金自動預払機現金払出器の一例の側面横断面を例示する概要図である。図３は、図２のセキュアな部分２０５を更に詳細に例示する。セキュアな部分は金庫３００を備える。金庫３００は、紙幣を収容するための通貨カセット３４０、３４５（集合的に、３６０）を装着するための幾つかの摺動可能に装着可能なラックを備える第１の部分を有するハウジングを備える。紙幣は本明細書において、英国紙幣、米国ドル札等を意味すると意図される。紙幣の実際の材料は紙以外、例えばポリマー材料でもよい。ハウジングの第２の部分が、要求される紙幣額に達するまで１枚または複数枚の紙幣を１枚ずつ拾い上げるためのピックアップ・モジュール２６５を備える差出器ユニット３５５を装着するための１つまたは複数の摺動可能に装着可能なラックを備える。差出器ユニット３５５は、通貨カセット３４０、３４５から搬送経路３３０、３３５、３７０に沿って払出器口１２５に要求された紙幣を搬送するための差出器ベルト３６５も備える。第２の部分は、データ処理装置２１５によって検出される不良紙幣を保持するための摺動可能に装着可能な不良トレイ（図示せず）を更に備える。差出器ユニット３５５は、タイミング・ディスク・センサ・アーム３２５および駆動ベルト３２０も備える。
【００１５】
払出器領域２３５は、差出器領域における紙幣の存在を検出および確証するための幾つかの光センサ３０５、３１０、３１５を更に備える。
【００１６】
明確にするため、本明細書で言及される払出器領域２３５は、差出器ユニット３５５、払出器シャッタ・アセンブリ２４５および紙幣払出器口１２５を備える。当業者は、ＡＴＭ１００の内部構成には多くの種類があり、上記説明が限定的でないことを認識するであろう。本発明の範囲から逸脱することなく、多くの他の構成が可能である。
【００１７】
使用に際して、ユーザがカード・リーダ２２５へユーザの銀行カードを挿入し、そしてディスプレイ・ユニット１０５は、ユーザに自分の個人識別番号を入力するように要求する。データ処理装置２１５は個人識別番号を確証し、そしてディスプレイ・ユニット１０５は幾つかの金融取引オプションをユーザに提示する。現金引出の要求がなされて承認されると、データ処理装置２１５は、ピックアップ・モジュール２６５に通貨カセット３４０、３４５の１つまたは複数から要求された紙幣を取得させる命令をピックアップ・モジュール２６５に送信する。紙幣の個々の単位が要求されると、紙幣の単位が確証され、それに応じて、差出器ベルト３６５は、通貨払出器口１２５を通してユーザに払い出すために、搬送経路３３０、３３５に沿って（矢印の方向に従って）セキュアなハウジングを通じて紙幣を搬送する。一実施形態において、紙幣が搬送経路に沿って搬送されるとき、紙幣は様々なセンサ３５０、３１５、３１０および３０５の下を通過する。センサは以下の機能などの様々な機能を行う：
センサ３５０−測定プロセス後に紙幣の存在を確認する。
センサ３１５−払出のための紙幣の適時の到達を確認する。
センサ３１０−タイミング制約を確認して、払出器シャッタが開く信号を発動する。
センサ３０５−タイミング・シーケンスを確認して、払出器シャッタが閉じる信号を送る。
【００１８】
一旦紙幣がセンサ３０５から所定の距離搬送されると、シャッタ・アセンブリ２４５の現金払出器シャッタは、ユーザが現金払出器口１２５から紙幣を取り出すまで開いたままである。一旦紙幣がユーザによって取り出されると、シャッタ・アセンブリ２４５の現金払出器シャッタは閉じる。
【００１９】
ＡＴＭ機に関わる不正行為の１つの方法は、現金捕捉装置の使用による。詐欺犯行者がＡＴＭの現金払出口内に現金捕捉装置を挿入する。後のユーザによって要求された現金が現金捕捉装置によってＡＴＭに保持され、そして犯行者によって後に回収される。
【００２０】
最も一般的な種類の現金捕捉装置は、装置の形状のためにキャッシュ・クロー（cash claw）とも称され得る。様々な設計のキャッシュ・クローが知られている。キャッシュ・クローなどの現金捕捉装置の存在を検出するために、ＡＴＭに防御対策が適用される。これらの対策を破ろうと試みて、詐欺犯行者は次いで、新たな設計のキャッシュ・クローを工夫する。
【００２１】
図４、５、６および７は、現金自動預払機から紙幣を不正に取得する試みに使用される現金捕捉装置の既知の設計を例示する。詳細には、図４〜７はキャッシュ・クローの既知の設計を例示する。
【００２２】
図４は、金属から作られてもよいが、任意の適切な弾性材料から成ってもよいキャッシュ・クロー４００ａを例示する。キャッシュ・クロー４００ａは、１つまたは複数の差出器ベルト３６５間に挿入するためのアーム４０５を備える。一実施形態において、キャッシュ・クロー４００ａは、差出器ベルト３６５間でのキャッシュ・クロー４００ａの操作を容易にするための可撓部分４１０を備えてもよい。可撓部分４１０はヒンジから成ってもよい。キャッシュ・クロー４００ａは、１つまたは複数のクロー・フォークから成るクロー４２０を遠位端に備える。犯行者は最初にこの遠位端をＡＴＭの現金口へ挿入する。一実施形態において、キャッシュ・クロー４００ａのアーム４０５は、紙幣払出動作中にクロー移動を妨げるための近位端に垂直部分４３０を、および犯行者によるクロー４００ａの取外しを簡単にするためのワイヤ４３５を備えてもよい。キャッシュ・クロー４００ａは、アーム４０５の長さに沿った中間点に設けられる１つまたは複数のストッパ４１５を備える。クロー４２０の１つまたは複数のクロー・フォークは、クローの近位端に向かう方向に反転される端部分を備える。１つまたは複数のストッパ４１５およびクロー４２０の１つまたは複数のクロー・フォークは、１つまたは複数のストッパ４１５とクロー４２０の１つまたは複数のクロー・フォークとの間の空間４２５内に紙幣を捕捉するように配置される。
【００２３】
図５は、キャッシュ・クロー４００ｂを例示し、中間のヒンジまたは可撓部分がない以外４００ａと類似している。キャッシュ・クロー４００ｂは、形状がキャッシュ・クロー４００ａと類似しており、かつキャッシュ・クロー４００ａのそれより可撓性のプラスチック材料から成ってもよく、これがヒンジの必要性を不要にする。挿入された金属性の現金捕捉装置の検出に依存するＡＴＭ保護対策を破ろうと試みて、プラスチック・キャッシュ・クローが使用されてもよい。キャッシュ・クロー４００ｂは、透明または半透明プラスチック材料などの透明または半透明材料から成ってもよい。光検出手段に依存するＡＴＭ保護対策を破ろうと試みて、透明または半透明キャッシュ・クローが使用されてもよい。
【００２４】
図６は、使用に際して差出器ベルトの縁を越えて延びず、それによって物理的阻止予防対策を破るべく、クロー４２０がクロー・フォークへと横に延びることがない直列設計を有するキャッシュ・クロー４００ｃを例示する。キャッシュ・クロー４００ｃはストッパ４１５を備える。
【００２５】
図７は、中間のストッパがない変形設計４００ｄを例示する。この異型設計は、現金捕捉装置として機能するためには、払出器シャッタが詰まって塞がれることを必要とする。
【００２６】
図８、９および１０は、差出器ベルト間で紙幣を捕捉する位置に挿入された現金捕捉装置の位置を図示する既知の現金自動預払機の差出器領域の側面、上面および正面図をそれぞれ例示する。詳細には、図８、９および１０は、キャッシュ・クローなどの現金捕捉装置を使用する既知の不正な現金捕捉動作の動作例を例示しており、その様々な既知の設計は図４〜７を参照しつつ記載される。
【００２７】
詐欺犯行者は最初にシャッタ後方のＡＴＭの差出器領域にアクセスする。犯行者は、最初に、例えば不正なプリペイド銀行キャッシュ・カードを使用してＡＴＭに低額面の現金額を要求することによって、これを行ってもよい。シャッタ・アセンブリ２４５のＡＴＭシャッタが開くと、犯行者は、例えば、払い出された現金を取り出す前に、中央の一対の差出器ベルト４６０間に現金捕捉装置、例えばキャッシュ・クロー４００ａを挿入する。シャッタ・アセンブリ２４５のシャッタが閉じ、キャッシュ・クロー４００ａが図８に図示される位置となる。別の方法では、犯行者は、シャッタ・アセンブリ２４５のシャッタをこじ開け、キャッシュ・クロー４００ａを挿入し、次いでシャッタ・アセンブリ２４５のシャッタを閉じることによって、アクセスする。キャッシュ・クロー４００ａと共にクロー４２０、ストッパ４１５および垂直部分４３０が、図８に側面図で、図９に上から、および図１０にＡＴＭの正面から、詐欺のための位置に図示される。
【００２８】
犯行者は、ここで、ＡＴＭの後のユーザが通貨払出を要求するのを待つ。紙幣が通貨カセット３４０、３４５から移り、そして中央の一対のベルト４６０および外側の対のベルト４６５としてここで識別される、シャッタ・アセンブリ２４５の近くまで延びる差出器ベルト間の地点４５５に到達する。紙幣は払出のために差出器ベルト間を通過する。しかしながら、紙幣がセンサ３１５の位置に達すると、ストッパ４１５が更なる進行を妨げて、紙幣はセンサ３１０に達しない。データ処理装置２１５のＡＴＭ制御回路がセンサ３１０からの検出信号の欠如に応答して「詰まり」メッセージを発行する。データ処理装置２１５は差出器ベルト４６０、４６５の対を逆転させて、詰まりを解消しようと試みる。クロー４２０が紙幣を捕らえて図９の位置４５０に紙幣を保持するので、試みた紙幣の引込みは失敗する。ＡＴＭはもはや詰まり状態にあり、そしてシャッタ・アセンブリ２４５のシャッタは閉じたままである。現金の要求者は、機械が故障を有すると思い、立ち去る。犯行者は戻り、シャッタ・アセンブリ２４５のシャッタをこじ開けて、保持された紙幣と共にキャッシュ・クロー４００ａを取り外す。
【００２９】
以上の過程の変形が生じてもよい。例えば、犯行者がストッパのない直列キャッシュ・クロー、例えば図７のキャッシュ・クロー４００ｄを使用する場合、一旦キャッシュ・クローが内部に入ると、シャッタは動かなくなる。
【００３０】
本発明の実施形態は、現金捕捉動作阻止アセンブリを備える。本アセンブリは、透明または半透明物体、例えば透明または半透明プラスチック現金捕捉装置を検出することができる赤外線センサを備える。本アセンブリは、電子制御回路に具現化され得る関連制御ロジックも備える。本アセンブリは、適切な種類のＡＴＭに後付けされ得る部品の現金捕捉阻止キットを備えてもよい。代替的に、ＡＴＭが、ＡＴＭの設計に組み込まれて構造的にＡＴＭ制御回路の一部である本アセンブリを備えてもよい。
【００３１】
図１１は、現金自動預払機の払出器シャッタ・アセンブリ２４５に隣接した差出器領域の範囲の正面および上面図を例示し、そして図１２は、本発明の実施形態による、現金自動預払機の差出器領域の上面図を例示する。現金捕捉動作阻止アセンブリは、差出器領域における物体を検出するように動作可能な複数のセンサ、好ましくは赤外線センサを備える。本アセンブリは、払出器シャッタ・アセンブリ２４５と払出器シャッタ・アセンブリ２４５に隣接した差出器ベルト４６０、４６５の端との間に装着される少なくとも１つの赤外線センサを備える。センサは、通貨払出を妨げないようにＡＴＭ動作中の紙幣払出面外に（すなわち、より上または下に）装着される。少なくとも１つの赤外線センサは、一対の差出器ベルトと同じ垂直面にある、すなわち、一対の差出器ベルトと一直線である。一実施形態において、本アセンブリは、各対の差出器ベルトと同じ垂直面に装着されるセンサを備える。例示される配置では、差出器領域は３対の差出器ベルト、中央ベルト４６０および外側ベルト４６５を備える。一実施形態において、装着ビーム、ロッドまたは同様の装着部材６１０がセンサのための装着点を提供し、かつＡＴＭのＡＴＭ構造に適切に取り付けられる。
【００３２】
一実施形態において、本アセンブリは、紙幣払出面外に、例えば図１１および１２に例示されるように紙幣払出面より上に位置付けられ、かつビーム６１０に取り付けられて各々そのそれぞれのベルト４６０、４６５と一直線であるセンサ６２０ａ、６２０ｂおよび６２０ｃを備える。装着部材およびセンサは、本発明の範囲から逸脱することなく紙幣払出面より下に装着されてもよい。赤外線センサ６２０ａ、６２０ｂおよび６２０ｃは、ＡＴＭの現金払出口を通してそれらのそれぞれの払出器ベルト間に挿入される物体を検出するために動作可能である。ほとんどの現金捕捉動作が中央の一対の差出器ベルト４６０間に現金捕捉装置を挿入することを伴うので、単一の位置にセンサ６２０ｂだけを備える最小限の配置で、最も可能性がある挿入点でだけ検出を提供するのに十分である。この単一の位置に単一のセンサ６２０ｂを備える実施形態が、本発明の範囲から逸脱することなく想定され得る。
【００３３】
本アセンブリは、シャッタ・アセンブリ２４５の近くまで延びる差出器ベルトによって占められる差出器領域内に配置される少なくとも１つの更なる赤外線センサ６４０を備える。赤外線センサ６４０は、したがって、センサ６２０ａ、６２０ｂ、６２０ｃより更にＡＴＭの内部の方に装着される。一実施形態において、装着ビーム、ロッドまたは同様の装着部材６３０がセンサ６４０のための装着点を提供し、かつＡＴＭのＡＴＭ構造に適切に取り付けられる。センサ６４０は、紙幣払出面外に、すなわちこの紙幣払出面より上または下に位置付けられるが、センサ６２０ａ、６２０ｂおよび６２０ｃと異なり、差出器ベルトのいずれとも一直線でない。センサ６４０は、したがって、差出器領域を介して払い出される通貨を検出するために動作可能である。このように、本アセンブリは、本発明の範囲から逸脱することなく２つ以上のセンサ６４０を備えてもよい。
【００３４】
赤外線センサ６２０ａ、６２０ｂ、６２０ｃおよび６４０は、反射赤外線の受信によって物体を検出するために動作可能な任意の適切な設計を備えてもよい。商業的に容易に入手可能である１つの種類のセンサは赤外線送信器ＬＥＤおよび隣接する赤外線受信器を備えており、これは、送信器から赤外線を発して赤外線の経路における物体によって反射されることによって物体を検出するために動作可能であり、反射赤外線は、検出信号を発生する受信器によって検出される。
【００３５】
現金捕捉動作阻止アセンブリの動作に際して、センサ６２０ａ、６２０ｂおよび６２０ｃは、シャッタ・アセンブリ２４５のシャッタが開いているときに現金払出口を介する現金捕捉装置の挿入を検出するのに役立つ。センサ６４０は、現金払出動作中に紙幣を検出するのに役立つ。センサは、それぞれ装置挿入センサ６２０ａ、６２０ｂ、６２０ｃおよび払出現金センサ６４０と称されてもよい。
【００３６】
現金捕捉動作阻止アセンブリは、図１１および１２を参照しつつ記載されるセンサに加えて、センサ、例えば、センサ６２０ａ、６２０ｂ、６２０ｃおよび６４０に信号経路によって接続される電子制御回路を備える。信号経路は、例えば、導電性もしくは光ファイバ接続、または短距離無線接続から成ってもよい。
【００３７】
図１３は、本発明の実施形態の側面の簡略構造図を例示する概要図である。図１３において、図１１および１２の装置挿入センサ６２０ａ、６２０ｂおよび６２０ｃは簡略化のために単一のセンサ６２０ａ、ｂ、ｃによって表される。センサ６２０ａ、ｂ、ｃは、シャッタ・アセンブリ２４５のシャッタの開放によって露出される現金払出開口を介する現金捕捉装置の挿入を検出するのに役立つ。センサ６４０は、現金払出動作における紙幣の払出を検出するのに役立つ。センサ６２０ａ、ｂ、ｃおよびセンサ６４０は現金捕捉動作阻止アセンブリ制御回路６５０に接続される。実施形態において、現金捕捉動作阻止アセンブリ制御回路６５０は、次いでＡＴＭ制御回路６６０と接続される。現金捕捉動作阻止アセンブリ制御回路６５０はＡＴＭ制御回路６６０の一部を備えてもよく、製造のためのＡＴＭの設計が本発明の実施形態を組み込む。他の実施形態において、現金捕捉動作阻止アセンブリ制御回路６５０はＡＴＭ制御回路６６０から独立しており、そしてシャッタ・アセンブリ２４５などのＡＴＭの関連した動作アセンブリと直接通信する。
【００３８】
本アセンブリの動作に際して、装置挿入センサ６２０ａ、ｂ、ｃおよび通貨払出センサ６４０は協調して動作して、現金捕捉装置の挿入を検出する。センサ６４０が物体（例えば、紙幣）を検出すると、センサ６４０は検出信号を発生する。センサ６４０が物体を検出した後で所定の時限内にセンサ６２０ａ、ｂ、ｃが物体を検出すれば、通常の通貨払出動作が示され、そしてセンサ６２０ａ、ｂ、ｃによって検出された物体はセンサ６４０によって既に検出された紙幣である。センサ６４０によるこの先行の物体検出なしにセンサ６２０ａ、ｂ、ｃが物体を検出すれば、センサ６２０ａ、ｂ、ｃによって検出された物体は差出器領域へ不正に挿入されている。
【００３９】
図１４および１５は、本発明の実施形態の動作を例示するフロー図である。本発明の実施形態の動作が、ここで、図１３および１４を参照しつつ記載されることになる。
【００４０】
ＡＴＭの通常の現金払出動作中、幾つかの紙幣の札から成る紙幣が図１３の矢印Ｂの方向に進行する。払出現金センサ６４０が、紙幣から成る物体をステップ７０５で検出する。センサ６４０は、現金捕捉動作阻止アセンブリ制御回路６５０に検出信号を通信する。この検出信号はプライミング信号と称されてもよい。阻止アセンブリ回路６５０は、ステップ７１０でこのプライミング信号を受信して、所定の時間間隔内にセンサ６２０ａ、ｂ、ｃで紙幣を期待すると知る。所定の時間間隔は、払出シャッタ２４５への通貨の横動の標準時間を包含する。物体挿入センサ６２０ａ、ｂ、ｃが、この時間間隔内に紙幣から成る物体が矢印Ｂの方向に進行するのをステップ７１５で検出し、結果としてステップ７２０で警報は発されない。現金捕捉動作阻止アセンブリ回路６５０がプライミング信号を受信したので、現金捕捉動作阻止アセンブリ回路６５０は警報を発しない。ＡＴＭ制御回路６６０がシャッタ・アセンブリ２４５に開くように命令し、そしてシャッタ・アセンブリ２４５が開いて通常の方法で通貨を払い出す。
【００４１】
図１５は、物体挿入センサ６２０ａ、ｂ、ｃによる物体検出のための決定フローを例示する。センサ６２０ａ、ｂ、ｃの少なくとも１つのセンサがステップ７３０で物体を検出する。少なくとも１つのセンサは、現金捕捉動作阻止アセンブリ制御回路６５０に検出信号を通信する。阻止アセンブリ回路６５０は、払出シャッタへの通貨の横動の標準時間を包含する所定の時間間隔内に現金捕捉動作阻止アセンブリ回路６５０がプライミング信号を受信したか否かをステップ７３５で判定する。現金捕捉動作阻止アセンブリ回路６５０が適切なプライミング信号を受信していたならば、フローは「はい」分岐に従って、ステップ７４０で通常の通貨払出動作が進行する。現金捕捉動作阻止アセンブリ回路６５０が適切なプライミング信号を受信していなかったならば、フローは「いいえ」分岐に従う。現金捕捉動作阻止アセンブリ制御回路６５０は、検出された物体が不正、例えば、挿入された現金捕捉装置であるとステップ７４５で判定する。こうして、現金捕捉動作阻止アセンブリ回路６５０は警報状態に入る。一部の実施形態において、現金捕捉動作阻止アセンブリ回路６５０は、ＡＴＭ制御回路６６０に警報信号を通信してもよい。現金捕捉動作阻止制御回路６５０、および一部の実施形態においてＡＴＭ制御回路６６０も、ステップ７５０で警報状態措置をとる。
【００４２】
現金捕捉動作阻止アセンブリが、既存のＡＴＭに適用され得る部品のアセンブリを備える装置挿入検出キットを備える、本発明の例証的な実施形態の要素が、ここで、図１６、１７および１８を参照しつつ記載されることになる。
【００４３】
本アセンブリは、既存のＡＴＭ制御回路の変更を必要とすることなく既存のＡＴＭに適用され得る反現金捕獲キットとして示され、かつ本発明を実装する一方法を例示する。本発明の範囲から逸脱することなく、他の実施形態が実装されてもよい。
【００４４】
図１６は、本発明の実施形態による、反現金捕獲キット８１０の概要図である。図１６に概略的に例示されるように、反現金捕獲キット８１０は、処理能力を備える制御プリント回路板（ＰＣＢ）８２０を備える。オペレータは、プログラミング・ポート８２２を介して入力を提供することによって制御ＰＣＢ８２０をプログラムしてもよい。プログラミング・ポート８２２を介する情報入力は、キットにいつ、どちらの方向に紙幣を期待するべきかを教示する命令、ならびにタイミング・シーケンスおよび命令を行う方法を含んでもよい。センサ入力がインタフェース入力８２４を介する。２４Ｖ給電接続８２８がキットに電力を提供する。
【００４５】
図１６の実施形態において、キットは５つの入出力（Ｉ／Ｏ）ポートを有する。１つのＩ／Ｏポートが入力、Ｉ／Ｐポート８２６として、そして残りのＩ／Ｏポートが出力、Ｏ／Ｐポート８３０として構成される。入力ポート、Ｉ／Ｐポート８２６は、例えば、ネットワーキング接続によるキットの拡張に備えてもよい。出力、Ｏ／Ｐポート８３０は１つまたは複数のモジュール・オプション、例えばストローブ、ＧＳＭダイアラ、デジタル記録告知機器等に備えてもよい。実施形態において、キットは、シャッタ・モータへの直接接続８３２を有し、かつシャッタ・モータを駆動するように構成される。キットは、払出器動作を無効にするために動作可能な払出器インタロック回路への直接接続８３４も有する。キットは、８３８で調節可能な可聴警報におよび８３６でＬＥＤアレイから成る視覚警報に接続する。キットは、８４０でシャッタ動作およびタイミング・シーケンスを駆動するように動作可能である。
【００４６】
図１７は、本発明の実施形態による、図１６の反現金捕獲キット８１０の構成部品の図である。図１７は、一実施形態における反現金捕獲キット８１０のための構造配置を例示する。プラスチック・ボックス・ハウジング８５０が制御ＰＣＢ８２０を収容する。センサ６２０ａ、ｂ、ｃおよび６４０は、ハウジング８５０内の制御ＰＣＢ８２０に光ファイバ赤外線インタフェース８６０を介して接続する。ハウジング８５０は、電源８７１、払出動作８７２、不正操作８７３および警報８７４のためのステータス・インジケータを備える。ハウジング８５０は、リセット・スイッチ８５５も備える。ＡＴＭオペレータ、例えば銀行従業員がハウジングで警報状態を見つければ、ＡＴＭオペレータは、オペレータが現金捕捉装置を取り外し得るようにシャッタ・アセンブリ２４５の払出器シャッタを開かせるリセット・スイッチ８５５を操作してもよい。シャッタ・アセンブリ２４５のシャッタは、現金捕捉装置の取外し後に自動的に閉じる。ＡＴＭオペレータは次いで、払出器試験動作を行ってＡＴＭ故障状態を解消してもよい。
【００４７】
図１８は、本発明の実施形態の動作を例示するフロー図である。図１８は、図１６および１７を参照しつつ記載される実施形態に係る反現金捕獲キット８１０の動作を例示する。正常動作でＡＴＭでは、反現金捕獲キット８１０は、ステップ９１０で、監視モードにある。犯行者がステップ９２０で差出器領域へ現金捕捉装置を挿入する。センサ６２０ａ、６２０ｂ、６２０ｃの１つのセンサが現金捕捉装置を検出し、そして上記したように所定の時間遅延が経過した後に、キットはステップ９３０で警報状態に入る。この警報状態のキットによってとられる措置がステップ９４０で図示されており、以下の１つ、２つ以上または全てを含んでもよい：シャッタが開いて装置を明らかにする；可聴警報サイレンが鳴る；現金口のＬＥＤアレイが点滅する；出力ポートに取り付けられた任意の追加モジュールが起動されるようにこれらのポートが有効になる；およびインタロック回路が開回路にされて払出器を損傷から保護する。決定ステップ９５０が、現金捕捉装置が取り外されたかどうかを尋ねる。「はい」であれば、ステップ９７０で、キットはシャッタ・アセンブリ２４５のＡＴＭ現金払出器シャッタを駆動して閉じ、警報状態を終了させ、キットは監視を再開し、そしてＡＴＭは稼働して正常動作が可能となる。「いいえ」であれば、現金捕捉装置が払出器に残るので、ステップ９６０で、警報状態が続く。可聴警報は設定時間後に終了してもよいが、現金捕捉装置が取り外されるまで視覚警報は有効なままであり、出力ポートは有効なままであり、そしてインタロックは開回路のままである。
【００４８】
本発明は、いかなる可能な集積化の技術的詳細レベルのシステム、方法もしくはコンピュータ・プログラム製品またはその組合せでもあり得る。コンピュータ・プログラム製品は、プロセッサに本発明の態様を実施させるためにコンピュータ可読プログラム命令を有する１つまたは複数のコンピュータ可読記憶媒体を含んでもよい。
【００４９】
コンピュータ可読記憶媒体は、命令実行デバイスによる使用のための命令を保持および記憶することができる有形デバイスであることができる。コンピュータ可読記憶媒体は、例えば、電子記憶デバイス、磁気記憶デバイス、光記憶デバイス、電磁記憶デバイス、半導体記憶デバイス、または上記の任意の適切な組合せであってもよいが、これらに限定されない。コンピュータ可読記憶媒体のより具体的な例の非網羅的な列挙としては以下を含む：ポータブル・コンピュータ・ディスケット、ハード・ディスク、ランダム・アクセス・メモリ（ＲＡＭ）、リード・オンリ・メモリ（ＲＯＭ）、消去可能プログラマブル・リード・オンリ・メモリ（ＥＰＲＯＭまたはフラッシュ・メモリ）、スタティック・ランダム・アクセス・メモリ（ＳＲＡＭ）、ポータブル・コンパクト・ディスク・リード・オンリ・メモリ（ＣＤ−ＲＯＭ）、デジタル多用途ディスク（ＤＶＤ）、メモリ・スティック、フロッピー（Ｒ）・ディスク、パンチ・カードまたは命令が記録された溝に隆起された構造などの機械的に符合化されたデバイス、および上記の任意の適切な組合せを含む。コンピュータ可読記憶媒体は、本明細書で使用される場合、電波もしくは他の自由に伝搬する電磁波、導波管もしくは他の伝送媒体を通って伝搬する電磁波、（例えば、光ファイバ・ケーブルを通る光パルス）、または電線を通って伝送される電気信号など、それ自体が一過性信号であると解釈されないものとする。
【００５０】
本明細書に記載されるコンピュータ可読プログラム命令は、コンピュータ可読記憶媒体からそれぞれのコンピューティング／処理デバイスに、あるいはネットワーク、例えば、インターネット、ローカル・エリア・ネットワーク、ワイド・エリア・ネットワークもしくは無線ネットワークまたはその組合せを介して外部コンピュータまたは外部記憶デバイスにダウンロードされることができる。ネットワークは、銅伝送ケーブル、光伝送ファイバ、無線伝送、ルータ、ファイアウォール、スイッチ、ゲートウェイ・コンピュータもしくはエッジ・サーバまたはその組合せを備えてもよい。各コンピューティング／処理デバイスにおけるネットワーク・アダプタ・カードまたはネットワーク・インタフェースが、ネットワークからコンピュータ可読プログラム命令を受信し、そしてコンピュータ可読プログラム命令をそれぞれのコンピューティング／処理デバイス内のコンピュータ可読記憶媒体への記憶のために転送する。
【００５１】
本発明の動作を実施するためのコンピュータ可読プログラム命令は、アセンブラ命令、命令セット・アーキテクチャ（ＩＳＡ）命令、機械命令、機械依存命令、マイクロコード、ファームウェア命令、状態設定データ、集積回路のための構成データ、またはＳｍａｌｌｔａｌｋ（Ｒ）、Ｃ＋＋等などのオブジェクト指向プログラミング言語および「Ｃ」プログラミング言語もしくは同様のプログラミング言語などの手続き型プログラミング言語を含む、１つもしくは複数のプログラミング言語の任意の組合せで書かれたソース・コードかオブジェクト・コードかであってもよい。コンピュータ可読プログラム命令は、完全にユーザのコンピュータ上で、部分的にユーザのコンピュータ上で、スタンド・アロン・ソフトウェア・パッケージとして、部分的にユーザのコンピュータ上でかつ部分的にリモート・コンピュータ上で、または完全にリモート・コンピュータもしくはサーバ上で実行されてもよい。後者のシナリオでは、リモート・コンピュータは、ローカル・エリア・ネットワーク（ＬＡＮ）もしくはワイド・エリア・ネットワーク（ＷＡＮ）を含む、任意の種類のネットワークを通じてユーザのコンピュータに接続されてもよく、または外部コンピュータに接続がなされてもよい（例えば、インターネット・サービス・プロバイダを使用してインターネットを通じて）。一部の実施形態において、例えば、プログラマブル論理回路、フィールド・プログラマブル・ゲート・アレイ（ＦＰＧＡ）またはプログラマブル論理アレイ（ＰＬＡ）を含む電子回路は、本出願の態様を行うために、コンピュータ可読プログラム命令の状態情報を活用して電子回路を個別化することによってコンピュータ可読プログラム命令を実行してもよい。
【００５２】
本発明の態様が、本発明の実施形態に係る方法、装置（システム）およびコンピュータ・プログラム製品のフローチャート例もしくはブロック図またはその両方を参照しつつ本明細書に記載される。フローチャート例もしくはブロック図またはその両方の各ブロック、およびフローチャート例もしくはブロック図またはその両方におけるブロックの組合せがコンピュータ可読プログラム命令によって実装されることができることが理解されるであろう。
【００５３】
これらのコンピュータ可読プログラム命令は、コンピュータまたは他のプログラマブル・データ処理装置のプロセッサを介して実行される命令が、フローチャートもしくはブロック図またはその両方の１つまたは複数のブロックに指定される機能／行為を実装するための手段を生じさせるように、汎用コンピュータ、専用コンピュータまたは他のプログラマブル・データ処理装置のプロセッサに提供されてマシンを生成するものであってよい。これらのコンピュータ可読プログラム命令はまた、命令が記憶されたコンピュータ可読記憶媒体が、フローチャートもしくはブロック図またはその両方の１つまたは複数のブロックに指定される機能／行為の態様を実装する命令を含む製品を構成するように、コンピュータ可読記憶媒体に記憶され、コンピュータ、プログラマブル・データ処理装置もしくは他のデバイスまたはその組合せに特定の方式で機能するよう指令することができるものであってもよい。
【００５４】
コンピュータ可読プログラム命令はまた、コンピュータ、他のプログラマブル装置または他のデバイス上で実行される命令が、フローチャートもしくはブロック図またはその両方の１つまたは複数のブロックに指定される機能／行為を実装するように、コンピュータ実装プロセスを生成すべく、コンピュータ、他のプログラマブル・データ処理装置または他のデバイスへロードされて、コンピュータ、他のプログラマブル装置または他のデバイス上で一連の動作ステップを実行させるものであってもよい。
【００５５】
図におけるフローチャートおよびブロック図は、本発明の様々な実施形態に係るシステム、方法およびコンピュータ・プログラム製品の可能な実装のアーキテクチャ、機能性および動作を例示する。この点で、フローチャートまたはブロック図における各ブロックは、モジュール、セグメントまたは命令の一部分を表現してもよく、それは指定された論理機能を実装するための１つまたは複数の実行可能命令を備える。一部の代替実装では、ブロックに示される機能は、図に示される順序と異なって起こってもよい。例えば、連続して図示される２つのブロックが、実際には、実質的に並行して実行されてもよく、またはブロックは、時に逆順に実行されてもよく、関与する機能性次第である。ブロック図もしくはフローチャート例またはその両方の各ブロック、およびブロック図もしくはフローチャート例またはその両方におけるブロックの組合せが、指定された機能もしくは行為を行うまたは専用ハードウェアおよびコンピュータ命令の組合せを実施する専用ハードウェア・ベースのシステムによって実装されることができることも留意されるであろう。
【００５６】
本発明のコンピュータ・プログラム製品は、コンピュータ可読プログラムコードが記憶された１つまたは複数のコンピュータ可読ハードウェア記憶デバイスを備え、前記プログラムコードが、本発明の方法（例えば、現金自動預払機の差出器領域への現金捕捉装置の挿入を検出するための方法）を実装するように、現金捕捉動作阻止アセンブリの制御回路によって実行可能である。
【００５７】
本発明の様々な実施形態の説明が例示の目的で提示されたが、網羅的であるとも、または開示される実施形態に限定されるとも意図されない。記載される実施形態の範囲から逸脱することなく、多くの変更および変形が当業者にとって明らかであろう。本明細書で使用される技術用語は、実施形態の原理、実際的応用もしくは市場で見つかる技術に対する技術的改良を最もよく説明するように、または当業者が本明細書に開示される実施形態を理解することを可能にするように選ばれた。
【図１】
2020536313.tif 000003
【図２】
2020536313.tif 000004
【図３】
2020536313.tif 000005
【図４】
2020536313.tif 000006
【図５】
2020536313.tif 000007
【図６】
2020536313.tif 000008
【図７】
2020536313.tif 000009
【図８】
2020536313.tif 000010
【図９】
2020536313.tif 000011
【図１０】
2020536313.tif 000012
【図１１】
2020536313.tif 000013
【図１２】
2020536313.tif 000014
【図１３】
2020536313.tif 000015
【図１４】
2020536313.tif 000016
【図１５】
2020536313.tif 000017
【図１６】
2020536313.tif 000018
【図１７】
2020536313.tif 000019
【図１８】
2020536313.tif 000020
【国際調査報告】
2020536313.tif 000021
2020536313.tif 000022